(57)【要約】【課題】  フオトマスク等の基板を収納して、保管時および運搬時に、基板が損傷したり、ケースの内部発塵により汚染したりすることを防止し、取扱いが容易で、基板の出し入れ時に発塵することが抑えられ、ケース自体の洗浄性、乾燥性に優れた、安価な基板収納ケースを提供する。【解決手段】  上蓋および下蓋の四隅に各々の蓋の内面より突出した支持部が設けられており、基板の四隅の下面側の各２つのエッジでもって前記下蓋の支持部に基板の位置決めと支持を同時に行ない、かつ上蓋を閉めることによって、前記上蓋の支持部により前記基板の四隅の上面側の各２つのエッジを固定して基板を収納するもので、前記ヒンジの位置がケースの厚みの中心より上に位置し、上蓋と下蓋を封止するためのロック部の位置がヒンジよりも下に位置する。【選択図】  図４
2010042867.tif 000002
【特許請求の範囲】
【請求項１】
上蓋と下蓋がヒンジを介して開閉自在に連結された基板収納ケースにおいて、前記上蓋および下蓋の四隅に各々の蓋の内面より突出した支持部が設けられており、基板の四隅の下面側の各２つのエッジでもって前記下蓋の支持部に基板の位置決めと支持を同時に行ない、かつ上蓋を閉めることによって、前記上蓋の支持部により前記基板の四隅の上面側の各２つのエッジを固定して基板を収納するもので、前記ヒンジの位置がケースの厚みの中心より上に位置し、上蓋と下蓋を封止するためのロック部の位置がヒンジよりも下に位置することを特徴とする基板収納ケース。
【請求項２】
請求項１に記載の基板収納ケースであって、ロック部の位置をケースの厚みの中心よりも下に位置させ、基板の下に自動搬送アームの指を入れられるスペースを設けたことを特徴とする基板収納ケース。
【請求項３】
上蓋と下蓋がヒンジを介して開閉自在に連結された基板収納ケースにおいて、前記上蓋および下蓋の四隅に各々の蓋の内面より突出した支持部が設けられており、基板の四隅の下面側の各２つのエッジでもって前記下蓋の支持部に基板の位置決めと支持を同時に行ない、かつ上蓋を閉めることによって、前記上蓋の支持部により前記基板の四隅の上面側の各２つのエッジを固定して基板を収納するもので、前記支持部を含む基板収納ケースの四隅の厚みが、基板収納ケース全体の厚みよりも薄いことを特徴とする基板収納ケース。
【請求項４】
請求項３に記載の基板収納ケースであって、前記基板収納ケースの四隅に、挟み込み部材を差し込むことで蓋の固定とスタンドを兼ねることを特徴とする基板収納ケース。
【請求項５】
上蓋と下蓋がヒンジを介して開閉自在に連結された基板収納ケースにおいて、前記上蓋および下蓋の四隅に各々の蓋の内面より突出した支持部が設けられており、基板の四隅の下面側の各２つのエッジでもって前記下蓋の支持部に基板の位置決めと支持を同時に行ない、かつ上蓋を閉めることによって、前記上蓋の支持部により前記基板の四隅の上面側の各２つのエッジを固定して基板を収納するもので、前記収納ケースにおいて、コーナ部および凹凸部に丸みをもたせたことを特徴とする基板収納ケース。
【請求項６】
請求項１ないし５のいずれか１項に記載の基板収納ケースであって、外側表面にＩＣタグを具備していることを特徴とする基板収納ケース。
【発明の詳細な説明】
【技術分野】
【０００１】
本発明は，半導体素子や液晶表示素子の製造に用いるフオトマスクやフオトマクスブランクス等の基板を保管、運搬するための基板収納ケースに関するものであり、さらに詳しくは、１枚ごとの基板収納ケースに関するもので、ペリクル付フオトマスクの保管、運搬にも対応できる基板収納ケースである。
【背景技術】
【０００２】
従来の１枚ごとの基板収納ケースとしては、例えば、本体と蓋体がヒンジを介して連結され、本体と蓋体の内面には被収納物を固定する固定部材が設けられ、本体と蓋体が会合する部位の外面が面一に構成され、ヒンジおよび係止部が会合部位の下方に設けられたケースが提案されている（例えば、特許文献１参照。）。
また、ケース本体と蓋体と蓋固定バンドを具え、ケース本体と蓋体の内面に設けた対抗するピン等の支持突起と、ケース本体に設けた囲み片により、基板の上下、横方向の揺れを阻止する収納ケースが知られている（例えば、特許文献２参照。）。
【０００３】
しかしながら、特許文献１に記載のケースは、蓋体を開けたときにフォトマスク等が本体と共に持ち上がることにより、巻き込み異物等が付着し易く、フォトマスク等に外観欠陥不良を生じるという問題があった。
さらに、フォトマスクの上下方向の支持には、支持部材に柱状の突起を設けてマスク表面および裏面を直接に押さえて支持するので、基板を汚染してしまうという問題があった。
【０００４】
特許文献２に記載の収納ケースは、プラスチック製の支持突起によりフォトマスク等の基板の表面および裏面を直接に押さえて支持するので、基板を汚染してしまうという問題やピン等の支持突起が破損するという問題を生じていた。
【０００５】
近年、フオトマスク等のパターンの微細化、高密度化に伴い、高品質化の要求はますます大きくなり、それに伴い、フオトマスク等の基板収納ケースにも低発塵性、損傷防止、汚染防止、取扱いの容易性等の特性が強く求められるようになってきている。
【先行技術文献】
【特許文献】
【０００６】
実公平６−３０６８６号公報
特開平１０−１４２７７３号公報
【発明の概要】
【発明が解決しようとする課題】
【０００７】
上記のように、従来の収納ケースは基板の位置決めと支持を別々に行っており、そのために発塵を引き起こし易く、高品質に基板を保持するのに問題があった。
【０００８】
本発明は，上記のような状況のもと、フオトマスク等の基板を収納して、保管時および運搬時に、基板が損傷したり、ケースの内部発塵により汚染したりすることを防止し、取扱いが容易で、基板の出し入れ時に発塵することが抑えられ、ケース自体の洗浄性、乾燥性に優れた、安価な基板収納ケースを提供するものである。
【課題を解決するための手段】
【０００９】
上記の課題を解決するために、本発明の基板収納ケースは、基板の位置決めと支持を同時に行うようにしたものである。
請求項１に記載の基板収納ケースは、上蓋と下蓋がヒンジを介して開閉自在に連結された基板収納ケースにおいて、前記上蓋および下蓋の四隅に各々の蓋の内面より突出した支持部が設けられており、基板の四隅の下面側の各２つのエッジでもって前記下蓋の支持部に基板の位置決めと支持を同時に行ない、かつ上蓋を閉めることによって、前記上蓋の支持部により前記基板の四隅の上面側の各２つのエッジを固定して基板を収納するもので、前記ヒンジの位置がケースの厚みの中心より上に位置し、上蓋と下蓋を封止するためのロック部の位置がヒンジよりも下に位置するようにしたものである。
【００１０】
請求項２に記載の基板収納ケースは、請求項１に記載の基板収納ケースであって、ロック部の位置をケースの厚みの中心よりも下に位置させ、基板の下に自動搬送アームの指を入れられるスペースを設けているようにしたものである。
【００１１】
請求項３に記載の基板収納ケースは、上蓋と下蓋がヒンジを介して開閉自在に連結された基板収納ケースにおいて、前記上蓋および下蓋の四隅に各々の蓋の内面より突出した支持部が設けられており、基板の四隅の下面側の各２つのエッジでもって前記下蓋の支持部に基板の位置決めと支持を同時に行ない、かつ上蓋を閉めることによって、前記上蓋の支持部により前記基板の四隅の上面側の各２つのエッジを固定して基板を収納するもので、前記支持部を含む基板収納ケースの四隅の厚みが、基板収納ケース全体の厚みよりも薄いようにしたものである。
【００１２】
請求項４に記載の基板収納ケースは、請求項３に記載の基板収納ケースであって、前記基板収納ケースの四隅に、挟み込み部材を差し込むことで蓋の固定とスタンドを兼ねるようにしたものである。
【００１３】
請求項５に記載の基板収納ケースは、上蓋と下蓋がヒンジを介して開閉自在に連結された基板収納ケースにおいて、前記上蓋および下蓋の四隅に各々の蓋の内面より突出した支持部が設けられており、基板の四隅の下面側の各２つのエッジでもって前記下蓋の支持部に基板の位置決めと支持を同時に行ない、かつ上蓋を閉めることによって、前記上蓋の支持部により前記基板の四隅の上面側の各２つのエッジを固定して基板を収納するもので、前記収納ケースにおいて、コーナ部および凹凸部に丸みをもたせているようにしたものである。
【００１４】
請求項６に記載の基板収納ケースは、請求項１ないし５のいずれか１項に記載の基板収納ケースであって、外側表面にＩＣタグを具備しているようにしたものである。
【発明の効果】
【００１５】
本発明の基板収納ケースによれば、基板の四隅の上面側、下面側の各２つのエッジにより基板の位置決めと支持を同時に行うことにより、フオトマスク等の基板の表面および裏面を直接に押さえることがなく、保管時および運搬時に、基板が損傷したり、ケースの内部発塵により基板が汚染したりすることが防止される。
【００１６】
また、上蓋を開いたときに、基板を載せた下蓋が持ち上がることがなく、基板の出し入れ時に発塵することが抑制され、ケース自体の洗浄性、乾燥性に優れるという効果を有する。
【００１７】
さらに、基板の支持部を蓋と一体構造として成型することにより、支持部の剛性を強化され、支持部が破損することが抑えられ、支持部破損による基板の損傷や汚染が防止される。
また、上蓋と下蓋の支持部を対称とし、収納ケースの成型性を容易とし、安価な基板収納ケースを提供することを可能とする。
【図面の簡単な説明】
【００１８】
【図１】本発明の一実施例の基板収納ケースを開いた状態を示す平面図である。
【図２】図１に示される基板収納ケースのＡ−Ａ線における側面断面図である。
【図３】本発明の一実施例の基板収納ケースの支持部を示す斜視図である。
【図４】本発明の一実施例の基板収納ケースを閉じた状態を示す側面断面図である。
【図５】本発明の一実施例の基板収納ケースを閉じた状態を示す側面図である。
【図６】本発明の一実施例の四隅の厚みを全体の厚みより薄くした基板収納ケースを閉じた状態を示す平面図である。
【図７】本発明の一実施例の四隅の厚みを全体の厚みより薄くした基板収納ケースを閉じた状態を示す側面図である。
【図８】図６の基板収納ケースの四隅を挟み込み部材により固定した状態を示す平面図である。
【図９】図７の基板収納ケースの四隅をスタンドを兼ねた挟み込み部材により固定し縦に静置した状態を示す側面図である。
【発明を実施するための形態】
【００１９】
以下、本発明の実施の形態について図面を用いて説明する。
【００２０】
図１は本発明の基板収納ケース１を開いた状態を示す平面図であり、図２は図１に示される基板収納ケース１のＡ−Ａ線における側面断面図を示す。
【００２１】
図１および図２に示すように、基板収納ケース１は上蓋２と下蓋３で構成され、下蓋３にはフォトマスク等の基板７がパターン膜面等を設けた主面側を下側にして支持されている状態を示す。
【００２２】
本発明の基板収納ケースに用いられる基板７は、半導体素子や液晶表示素子の製造に用いるフオトマスク（レチクルとも称する）やフオトマクスブランクス等の基板であり、低熱膨張ガラスや石英ガラス等を主体に遮光膜が設けられたものであり、一般に遮光膜やパターンを形成する主面は正方形状をしており、基板サイズは規格により外形寸法が定められている。また、本発明における基板７としては、収納ケース１の厚みを厚くすることにより、ペリクル付き基板も収納し得るものである。
【００２３】
上蓋２と下蓋３はヒンジ４を介して開閉自在に連結されている。
本発明におけるヒンジ４は着脱可能にしてあり、上蓋２と下蓋３を２７０度程度に開くことにより、上蓋２と下蓋３を容易に外すことができ、外した角度において再び簡単に取り付けられる構造にしてあり、ケース洗浄時等において個々に洗浄乾燥することができる。
【００２４】
上蓋２および下蓋３の内面四隅には、それぞれ４箇所の基板の支持部５および６が設けられている。
支持部５および６は蓋と別々に作ってから蓋に接合させることもできるが、支持部５および６を蓋と一体構造として成型する方が、成型の容易さ、支持部の強度・精度の点からより好ましい。
【００２５】
基板の支持部５および６は、基板７の２つのエッジを支持するために、略Ｌ字形をしている。
略Ｌ字形の２つの支持部の交点は９０度をなし、２つの支持部の長さは必ずしも同じ長さである必要はないが、一般にフォトマスク等の基板の主面が正方形なので、支持する方向性が制約されない対称形として、同じ長さとするのがより好ましい。
なお、円形系の基板を支持する際にはその形状に沿った支持部とすることで同様の効果を得ることが出来る。
【００２６】
本発明において、略Ｌ字形の支持部５および６の基板を支持する部分は傾斜面を形成しており、各々の基板を支持する部分は基板の１辺のエッジとのみ接するような構造となっている。
図１および図２において、下蓋３の四隅の支持部６上に基板７を静置することにより、支持部６の傾斜面によって、基板７の下面側の四隅にあるにあるそれぞれ２つのエッジが支持部６の２つの傾斜面と接触し、基板７が位置決めされると同時に支持される。
すなわち、基板７は下面側四隅の隣り合って直交する各々２つのエッジにより８箇所で支持部６に支持される。
【００２７】
本発明の基板の支持部についてさらに詳しく説明する。
図３は、基板収納ケース１の下蓋３の四隅にある支持部６の一つの例を示す斜視図である。
【００２８】
基板支持部６のＬ字形の２辺で囲まれた基板エッジ支持部分１１は、Ｌ字形２辺のそれぞれから傾斜面を形成している。
傾斜面の角度は、基板が位置決めされ支えられる角度であればよく、蓋の底面に対し、傾斜角１５度〜７５度程度の範囲で用いられる。
１５度未満であると、角度が浅くて基板の支持強度が不十分となりかつ支持位置の再現性が低くなる。
７５度を越えると、基板の大きさの寸法公差に対して余裕度が不十分となり基板の損傷を引き起こし易くなるからである。
より好ましくは、支持部の機械的な強度、基板の支持性、基板にかかる力の分散性、基板の大きさに対する余裕度の点から、傾斜角３０度〜６０度が好ましく、さらにより好ましくは、上下横方向から基板にかかる力が均等となるように、傾斜面の角度は４５度に設定するのが望ましい。
【００２９】
また、図３に示すように、基板のずれによるケースとの衝突を防ぎ、支持部６の基板エッジ支持部分１１に発生する応力を逃がすために、本発明では、略Ｌ字形の２辺の交点に空き１２を設けるのも好ましい形態である。
図３は略Ｌ字形の２つの支持部の交点周辺を略円柱状に樹脂を取り除いて空き１２を設けた例である。
【００３０】
さらに、本発明では、２つの支持部の交点を離して９０度で交差するハの字形にすることも可能である。しかし、支持部の強度の点からは前記の略Ｌ字形の方
がより好ましい。
【００３１】
次に、上蓋２を閉めることにより、基板７の上面側の四隅のそれぞれ２つのエッジが支持部５の２つの傾斜面と接触して基板７が支持され、基板が固定される。
すなわち、基板７は、下面側と同じく、上面側においても四隅の隣り合って直交する各々２つのエッジにより８箇所で支持部５に支持され、固定される。
【００３２】
図４は上蓋２を閉めた状態を示す側面断面図である。
【００３３】
図４に示すように、基板７は四隅の上下のエッジが、上蓋２側の支持部５と下蓋３側の支持部６の基板エッジ支持部分１１の傾斜面で位置決めされ、同時に基板７の上下横方向の動きが阻止されて固定し、搬送時等に生ずる振動によっても動かず、したがって基板７が損傷することはなく、発塵により基板７が汚染されることも防止される。
【００３４】
図５は、本発明の一実施例の基板収納ケースを閉じた状態を示す側面図である。
図５に示すように、本発明では、ヒンジ４の位置がケースの厚みの中心より上に位置し、上蓋２と下蓋３を封止するためのロック部９および１０の位置がヒンジ４よりも下に位置している。
したがって、基板収納ケース１の上蓋２と下蓋３の嵌合部１３は傾斜面を形成している。
【００３５】
上記のような構造とすることにより、本発明では、図２に示すように、基板収納ケース１の蓋を開いたときに、下蓋３のヒンジ側が浮き上がることがなく、従来のケースのように下蓋のヒンジ側が浮き上がることにより周囲の塵埃を巻き込み、基板に異物付着による外観不良を引き起こすようなことがない。
図２に示した例では、上蓋３は閉じた状態から約１８５度の角度で開いている。
【００３６】
さらに、本発明では、上記図５のような構造に加え、ロック部の位置をケースの厚みの中心よりも下に位置させ、上蓋が開いたときに、基板の下に自動搬送アームの指を入れられる十分なスペースを設けることにより、上蓋を開き基板を取り出すときに、自動搬送アームの指を基板の下に入れ、人手を介さずに基板の収納ケースへの出し入れが可能となる。
さらに、ロック部のフックを自動搬送アームで開閉し得る構造とすることにより、基板の収納ケースへの出し入れ、収納ケースの搬送を自動化することができる。
【００３７】
また、本発明の基板収納ケースは、図６および図７に示すように、支持部を含む収納ケースの四隅の厚みを、基板収納ケース全体の厚みよりも薄くする形態も取り得る。
【００３８】
図６は、支持部を含む基板収納ケースの四隅の厚みを全体の厚みより薄くした基板収納ケースを閉じた状態を示す平面図であり、図７は、その側面図である。
図６、図７において、図１、図２、図５と同じ部分を示す場合には同じ符号番号を用いている。
【００３９】
図６、図７において、収納ケース１の上蓋２、下蓋３の四隅は薄くすることにより、段差部１４を形成する。四隅を薄くすることでフォトマスクを収納しロックを行う際の作業性を容易にする。
また、四隅の支持部を含むことで支持部の高さを低くすることが出来、結果的に支持部材としての剛性を上げることが出来る。また、四隅薄くし段差を設けることで作業のときなどのケースの固定を下蓋３の最外周ではなくケースの内側（支持部材付近）で行えるようになるため、装置起因の発塵の影響を受けることがない。
【００４０】
図８は、図６の基板収納ケースの四隅を挟み込み部材１５により固定した状態を示す平面図である。
本発明においては、基板収納ケース１の四隅に設けた上記の段差部１４に、図８に示すように、挟み込み部材１５を差し込むことで、蓋の固定をさらに強固なものとすることが可能である。
収納ケース１の四隅の厚みが薄いので、挟み込み部材１５の装着、取り外しが容易であり、装着後の挟み込み部材１５を含む四隅の厚みを基板収納ケース１の全体の厚みの範囲内にすることも可能であり、ケースの保管、運搬時に挟み込み部材１５の厚みが支障とならない。
【００４１】
挟み込み部材１５としては、プラスチック製、ゴム製または金属製のクリップや固定バンドを用いることができる。
【００４２】
さらに、図９は、図７の基板収納ケースの四隅をスタンドを兼ねた挟み込み部材１５により固定し縦に静置した状態を示す側面図である。
本発明の基板収納ケースは図９に示すように、スタンドを兼ねた挟み込み部材１５を用いて縦型にしてマスク保管棚等に書物のように整然と配列することができ、ケース外側にＩＣタグ等を貼付すれば、棚からのケースの自動出し入れ、ケースの自動搬送、基板のケースからの自動出し入れが可能となり、人手作業が減少することにより、塵埃による品質トラブルも減少し、品質、生産性を向上し、高品質マスクの作製、搬送、保管に寄与する。
【００４３】
本発明の基板収納ケース１の上蓋２、下蓋３、支持部５および６の材質は、低発塵性で、洗浄、乾燥性が良くて再利用できるものがよい。
また、基板収納ケースは運搬時等に帯電すると、放電現象によりフォトマスクパターンを破壊したり、空気中の塵埃を吸着して基板を汚染するので、上蓋２、下蓋３、支持部５、６は導電性プラスチックにより形成するのが好ましい。
導電性プラスチックとしては、例えば、電気抵抗率の小さいゴム粒子を硬質樹脂中に分散した構造の商品名バイヨン（呉羽化学工業社製）あるいはノバロイ（ダイセルポリマー社製）という樹脂が使用可能である。
【００４４】
また、嵌合部１３の上蓋２と下蓋３のパッキングに用いるガスケット８としては、フッ素系ゴムを用いることが可能であり、例えば、フロロプラス（ニチアス社製）という製品が挙げられる。
【００４５】
本発明では、嵌合する上蓋部分にガスケット８を凸状に設け、対応する下蓋３の嵌合部を凹状とすることにより嵌合部の密着性は維持される。
またガスケットの内側には別途嵌合部を設けてあり、ロックが解除され上蓋２が開いている状態において、ガスケットのシール性が保たれていない状態でも嵌合部は一部が重ね合わさっておりケース外からの異物混入を防ぐようになっている。
その結果、従来の収納ケースのように、基板収納後に上蓋と下蓋の嵌合部をテープ等で貼り合わせる作業を不要とすることが出来た。
【００４６】
また、本発明では、ガスケット８が上蓋２と下蓋３を重ね合わせたときの緩衝材の役割も果たしているものである。
【００４７】
本発明において、ヒンジ４は上蓋２と下蓋３が着脱可能な構造としている。
また、ロック部９、１０は１箇所以上設けることでロックされるが、例えば、２ヵ所設け、上蓋２と下蓋３を嵌合したときに、ロック部９、１０のフックによりロックされ、かつフックを押すことによりロックが解除される構造とすることができる。
【００４８】
基板を収納したケースの蓋を開くときは、周囲からの塵埃の落下付着の危険性を避けるために、基板のパターン面が下の状態で開けるのが基本であるが、本発明の基板収納ケース１は、ヒンジ４とロック部９、１０を除くと、上蓋と下蓋を対称形にして製造することが可能なので、蓋の両面から開けることも可能であり、フォトトマスク製造の内部工程等において、必要に応じて開く蓋を適宜選択することができるという利点を有する。
【００４９】
本発明の基板収納ケース１は、収納ケースの樹脂成型時におけるヒケの問題を生じさせず、収納ケースのコーナ部や凹凸部に塵埃が集まりにくく、洗浄、乾燥し易くするために、コーナ部や凹凸部に丸みをもたせる構造とするのがより好ましい。
【００５０】
上記のように、本発明の基板収納ケース１は、蓋２，３と基板支持部５，６を一体成形で製造することが可能なため、剛性が高く、高品質で安価な基板収納ケースが提供される。
また、基板に直接触れるところに導電性樹脂以外の物質を使用しないことから余分な物質の影響を受けることを防ぐことが出来る。
【００５１】
さらに、本発明の基板収納ケース１の外側表面にバーコードラベルやＩＣタグを具備させ、ケースごと製品管理することも可能である。
【実施例１】
【００５２】
次に、上述した実施の形態の具体的実施例について述べる。
【００５３】
６インチのフォトマスク（外形寸法６×６×０．２５（厚み）インチ）専用の基板収納ケースを作製するために、ヒンジ部およびロック部を含めたケースの外形寸法２２０×２３０×２２（厚み）ｍｍの上蓋および下蓋の金型を作製し、商品名ノバロイ（ダイセルポリマー社製）樹脂を用いて樹脂厚３ｍｍの上蓋および下蓋を作製した。
上蓋と下蓋が嵌合する上蓋部分には、ガスケットとしてポリエステルエラストマー樹脂で凸状の嵌合部を設け、対応する下蓋は凹状の嵌合部とした。
ヒンジは上蓋と下蓋が着脱可能な構成とした。
また、ロック部は２ヵ所設け、上蓋と下蓋を嵌合したときに、フックによりロックされ、かつフックを押すことによりロックが解除される構造とした。
【００５４】
上蓋および下蓋の内面四隅には、それぞれ４箇所の支持部を蓋と一体構造で設けた。支持部は３０×３０×１０（高さ）ｍｍの大きさで蓋の底面から突出して形成し、その支持部の内側の角に、さらに２０×２０×２０（蓋の底面からの高さ）ｍｍのＬ字形の基板エッジ支持部が突き出た構造とし、蓋と一体成型で形成した。
９０度で交わるＬ字形の２辺で囲まれた基板エッジ支持部分は、２辺のそれぞれから傾斜面を形成し、傾斜面の角度は底面に対し４５度とした。また、Ｌ字形の２辺の交点に円柱状の空きを設けた。
上蓋と下蓋はヒンジとロック部以外は、上下対称の形状とし、基板収納ケースを形成した。
【００５５】
次に、上記の上蓋を開けた収納ケースの下蓋に、６インチのフォトマスク（外形寸法６×６×０．２５（厚み）インチ）をパターン面下側にして静置した。
マスクの下面側の四隅にあるにあるそれぞれ２つのエッジが、支持部の基板エッジ支持部分の２つの傾斜面と接触し、位置決めと同時に支持され、マスクは下面側四隅の隣り合って直交する各々２つのエッジにより、８箇所で支持部の傾斜面に支持された状態となった。
【００５６】
次に、上蓋を閉め、ロックすることにより、マスクの上面側の四隅のそれぞれ２つのエッジが、上蓋の支持部の２つの傾斜面と接触してマスクが支持されると同時に固定された。
すなわち、フォトマスクは、下面側と同じく、上面側においても四隅の隣り合って直交する各々２つのエッジにより８箇所で支持され、確実に固定された。
（比較例１）
従来技術により、バイヨン樹脂で形成した上蓋、下蓋が分割できる６インチのフォトマスク収納ケース（２２５×２２５×４１ｍｍ）を作製した。
このケースはマスクを支持するために、マスクの外周を位置決めする外周固定部と、マスクを固定するバイヨン製ピン状突起とを、上蓋、下蓋のそれぞれに設けたものであり、マスクとの接触部のピン状突起先端はシリコン樹脂で覆い接触時の衝撃を緩和するようにした。
このケースに６インチのフォトマスクをパターン面を下にして静置し、上下のピンでマスクを固定した。
次に上下の蓋の嵌合部を梱包テープで封じ、かつ四隅を樹脂クリップにて固定した。
（発塵性の比較）
実施例１の本発明の収納ケースと比較例１の従来の収納ケースを用い、同一条件で強制発塵試験を行ない発塵性を比較した。
測定条件はフォトマスクをそれぞれの収納ケースに収納後、２時間振動させ、ケース収納前とケースに収納し振動後のマスク上の異物の大きさ（μｍ）をレーザ反射式異物測定装置ＧＭ（（株）日立製作所製）にて測定し、異物の増加数を比較した。
測定エリアは１３０×１３０ｍｍであり、それぞれ４枚について発塵試験を行ない平均値を求めた。
その結果従来の収納ケースと比較して本発明の収納ケースは１／７にまで発塵を低減させることが判明した。
【符号の説明】
【００５７】
１      基板収納ケース
２      上蓋
３      下蓋
４      ヒンジ
５      支持部
６      支持部
７      基板
８      ガスケット
９      ロック部
１０    ロック部
１１    基板エッジ支持部分
１２    円柱状空き
１３    嵌合部
１４    段差部
１５    挟み込み部材
【図１】
2010042867.tif 000003
【図２】
2010042867.tif 000004
【図３】
2010042867.tif 000005
【図４】
2010042867.tif 000006
【図５】
2010042867.tif 000007
【図６】
2010042867.tif 000008
【図７】
2010042867.tif 000009
【図８】
2010042867.tif 000010
【図９】
2010042867.tif 000011